(57)【要約】【課題】筐体に取り付けた電池カバーを意図的に外したい時に外れ易く、落下等の衝撃により外れ難い携帯端末を提供する。【解決手段】携帯端末１０は、筐体１１の厚み方向に沿って筐体１１に対して着脱可能な電池カバー１６と、電池カバー１６に設けられた段差部２１と、筐体１１に電池カバー１６を固定するための固定部２２とを備えている。固定部２２は、筐体１１の厚み方向に対して交差する方向に係合することによりカバー１３に係止可能な第１爪部５１、第２爪部５２、第３爪部５３および第４爪部５４とを有する。【選択図】図６
2013093127.tif 000002
【特許請求の範囲】
【請求項１】
電池パックを収容する収容凹部を備えた筐体と、
前記電池パックを覆い、前記筐体に着脱する電池カバーと、を備え、
前記電池カバーは、前記筐体から着脱する際にきっかけとなる段差部を形成するとともに、前記筐体と対向する内側において前記筐体と係合する固定部を形成し、
前記筐体は前記固定部を形成し、
前記固定部は、
前記段差部を形成する辺の内側に設けられ、前記筐体の平面中央方向に向かって突出する第１爪部と、
前記第１爪部と対向する辺の内側に設けられ、前記筐体の平面中央方向に向かって突出する第２爪部と、
前記第１爪部および第２爪部と隣接する辺の内側に設けられた係止片に支持され、前記筐体の外形方向に向かって突出する第３爪部と、
前記第１爪部および第２爪部と隣接する辺の内側に設けられた係止片に支持され、前記筐体の外形方向に向かって突出する第４爪部と、を有する携帯端末。
【請求項２】
請求項１に記載の携帯端末において、
前記収容凹部が平面略矩形状であって、
前記第３爪部および前記第４爪部は、前記収容凹部の平面各辺の略中央に対応する位置に形成された携帯端末。
【請求項３】
請求項１に記載の携帯端末において、
前記電池カバーの内側面と前記係止片の基端部とを連結する補強リブを有し、
前記補強リブが前記係止片における幅方向両縁部のうち、前記段差部から遠い縁部側に設けられている携帯端末。
【請求項４】
請求項１に記載の携帯端末において、
前記筐体は、前記電池カバーで覆われる面に配置されたカバーと、前記カバーと係合するケースから構成され、
前記第１爪部、前記第２爪部、前記第３爪部および前記第４爪部が前記カバーに係合する携帯端末。
【請求項５】
請求項１に記載の携帯端末において、
前記第３爪部および前記第４爪部にそれぞれ隣り合う複数のインロー部を有し、
前記各インロー部が、前記第３爪部および前記第４爪部に対して前記段差部から遠い位置に設けられている携帯端末。
【請求項６】
ケースおよびカバーを有する筐体と、
前記ケースに設けられ、電池パックを収容する収容凹部と、
前記電池パックを覆う平面部と、前記平面部に連結された枠状の側壁部とを有し、前記筐体の厚み方向に沿って前記筐体に対して着脱可能な電池カバーと、
前記側壁部の外面における所定位置に設けられた段差部と、
前記電池カバーにおける前記カバーに対向する内面に設けられ、前記筐体の厚み方向に対して交差する方向に係合することにより、前記筐体に前記電池カバーを固定するための固定部とを備え、
前記固定部が、
前記側壁部における前記段差部の裏側に設けられ、前記カバーの平面中央に向かって突出する第１爪と、
前記側壁部における前記収容凹部を挟んで前記第１爪部と対向する位置の裏側に設けられ、前記カバーの平面中央に向かって突出する第２爪部と、
前記収容凹部を中心として前記第１爪部および前記第２爪部に対して隣り合う位置に対応する前記平面部の裏側に設けられた係止片に支持され、前記カバーの平面中央とは反対側に向かって突出する第３爪部と、
前記収容凹部を挟んで前記第３爪部と対向する位置に対応する前記平面部の裏側に設けられた係止片に支持され、前記カバーの平面中央とは反対側に向かって突出する第４爪部とを有する携帯端末。
【請求項７】
筐体と、
前記ケースに設けられ、電池パックを収容する収容凹部と、
前記電池パックを覆う平面部と、前記平面部に連結された第１短辺壁部、第２短辺壁部、第１長辺壁部および第２長辺壁部による略長方形枠状の側壁部とを有するとともに、前記筐体の厚み方向に沿って前記筐体に対して着脱可能な電池カバーと、
前記電池カバーにおける前記カバーに対向する内面に設けられ、前記筐体の厚み方向に対して交差する方向に係合することにより、前記筐体に前記電池カバーを固定するための固定部とを備え、
前記電池カバーが、前記第１短辺壁部および前記第２短辺壁部のうちの一方を支点として他方が前記筐体に対して回動するように前記筐体に対して着脱可能とされ、
前記固定部が、
前記第１短辺壁部の裏側に設けられ、前記カバーの平面中央に向かって突出する第１爪部と、
前記収容凹部を挟んで前記第２短辺壁部の裏側における前記第１爪部と対向する位置に設けられ、前記カバーの平面中央に向かって突出する第２爪部と、
前記第１長辺壁部の内側に設けられた係止片に支持され、前記カバーの平面中央とは反対側に向かって突出する第３爪部と、
前記収容凹部を挟んで前記第２長辺壁部の内側における前記第３爪部と対向する位置に設けられた係止片に支持され、前記カバーの平面中央とは反対側に向かって突出する第４爪部と、を有する携帯端末。
【発明の詳細な説明】
【技術分野】
【０００１】
本発明は、筐体の収容凹部に電池パックが収容され、この電池パックを覆う電池カバーが筐体に着脱自在に取り付けられた携帯端末に関する。
【背景技術】
【０００２】
携帯端末のなかには、電池カバーの先端にロック爪が設けられ、電池カバーを筐体に摺動させてロック爪を筐体に係止することにより筐体に取り付けるスライド式の電池カバーが知られている。
このスライド式の電池カバーによれば、電池カバーを筐体から外す場合には、ロック爪の周辺を押圧してロック爪の係止を解除させた状態で電池カバーを摺動させて筐体から外すことが可能である（例えば、特許文献１）。
【０００３】
しかし、スライド式の電池カバーは、電池カバーを摺動させるレール等を設けるために、電池カバーや筐体の双方にレール等を設ける空間が必要である。
このように、電池カバーや筐体の双方に空間を必要とすることが筐体を小型化、薄型化する上で障害となる（例えば、特許文献１）。
【先行技術文献】
【特許文献】
【０００４】
【特許文献１】特開２００７−２１４０１８号公報（段落0051〜段落0057）
【発明の概要】
【発明が解決しようとする課題】
【０００５】
筐体の小型化や薄型化を実現する嵌め込み式の電池カバーとして、筐体との境界線に沿った電池カバーの所定位置に操作者が指等を係合し易い凹部が設けられたものが知られている。
電池カバーを取り外す際には、凹部に指等を係合した状態で凹部を起点として筐体から電池カバーを引き剥がす。これにより、複数の係合爪の係合が順番に解除して電池カバーが取り外される。
【０００６】
この電池カバーは、筐体に対する電池カバーの取付強度を向上させるために、係合爪の係合強度を高めることが考えられる。
しかし、係合爪の係合強度を高めた場合、電池カバーを引き剥がす際に凹部にクラックが生じる可能性がある。
また、筐体から電池カバーを開ける際に、係合が固くて電池カバーを開け難いという問題が発生する可能性がある。
一方、係合爪の係合強度を低くした場合、筐体に対する電池カバーの取付強度が低下するため、落下等の衝撃により意図せず外れ易い。
【０００７】
本発明は、前述した課題を解決するためになされたものであり、その目的は、筐体に取り付けた電池カバーがクラックを生じさせることなく意図的に外したい時に外れ易く、落下等の衝撃により外れ難い携帯端末を提供することにある。
【課題を解決するための手段】
【０００８】
本発明の携帯端末は、電池パックを収容する収容凹部を備えた筐体と、前記電池パックを覆い、前記筐体に着脱する電池カバーと、を備え、前記電池カバーは、前記筐体から着脱する際にきっかけとなる段差部を形成するとともに、前記筐体と対向する内側において前記筐体と係合する固定部を形成し、前記筐体は前記固定部を形成し、前記固定部は、前記段差部を形成する辺の内側に設けられ、前記筐体の平面中央方向に向かって突出する第１爪部と、前記第１爪部と対向する辺の内側に設けられ、前記筐体の平面中央方向に向かって突出する第２爪部と、前記第１爪部および第２爪部と隣接する辺の内側に設けられた係止片に支持され、前記筐体の外形方向に向かって突出する第３爪部と、前記第１爪部および第２爪部と隣接する辺の内側に設けられた係止片に支持され、前記筐体の外形方向に向かって突出する第４爪部と、を有する。
【０００９】
取り外し時は、第２短辺壁部を支点とし、かつ、段差部を起点として筐体に対して電池カバーを引き起こそうとすると、最初に第１爪部の係合が解除され、次いで電池カバーが幅方向に沿った中央部が隆起するように凸状に変形する。
中央部が隆起するように変形するために、係止片が傾斜して第３爪および第４爪部の係合が容易に解除される。
【００１０】
第３爪および第４爪部の係合が解除されることにより、第２爪部の係合を最後に解除して筐体から電池カバーが取り外される。
これにより、筐体に取り付けた電池カバーを意図的に外したい時に、筐体から容易に取り外すことができる。
【００１１】
一方、携帯端末に落下等の衝撃が加わった場合、中央部が凹むように電池カバーが変形する。中央部が凹むことにより、係止片が傾斜して第３爪および第４爪部が強く係合する。
また、電池パックが飛び出そうとする際にも中央部が隆起するように凸状に電池カバーが変形するため、係止片が傾斜して第１爪および第２爪が強く係合する。
このように、第１爪、第２爪、第３爪および第４爪部が強く係合することにより筐体から電池カバーが外れる可能性を低く抑えることができ、落下等の衝撃で筐体から電池カバーが外れ難くできる。
【００１２】
また、本発明の携帯端末は、前記収容凹部が平面略矩形状であって、前記第３爪部および前記第４爪部は、前記収容凹部の平面各辺の略中央に対応する位置に形成されている。
【００１３】
ここで、電池パックはある程度重いため、落下時に電池パックが収容凹部から飛び出し、電池カバーが外れることが考えられる。
そこで、第１爪部、第２爪部、第３爪部および第４爪部を収容凹部の各辺の中央部に対応する位置に配置した。
これにより、収容凹部の各辺に相当する部位に電池カバーを係止できるので、落下時に電池カバーを確実に固定して電池パックの飛び出しを防止できる。
【００１４】
さらに、本発明の携帯端末は、前記電池カバーの内側面と前記係止片の基端部とを連結する補強リブを有し、前記補強リブが前記係止片における幅方向両縁部のうち、前記段差部から遠い縁部側に設けられている。
【００１５】
補強リブを段差部から遠い縁部側に設けることにより、段差部を引き剥がす方向に引き上げる際に係止片を撓み易くできる。
これにより、段差部を起点として電池カバーを引き起こす際に、係止片を好適に撓ませて電池カバーを容易に外すことができる。
これに対して、補強リブを段差部に近づけた場合、電池カバーを外す際に、係止片が撓み難く、電池カバーが外れ難くなる。
【００１６】
また、本発明の携帯端末は、前記筐体は、前記電池カバーで覆われる面に配置されたカバーと、前記カバーと係合するケースから構成され、前記第１爪部、前記第２爪部、前記第３爪部および前記第４爪部が前記カバーに係合する。
【００１７】
ここで、電池カバーを筐体に取り付ける方法として、電池カバーを筐体のケースおよびカバーの両部材に係止させることが考えられる。
しかし、電池カバーをケースおよびカバーの両部材に係止させた場合、三部材の加工公差や組立公差が組立精度に影響して、電池カバーとカバーとの隙間を好適に抑えることが難しい。
【００１８】
そこで、第１爪部、第２爪部、第３爪部および第４爪部をカバーのみに係合させることにした。
これにより、加工公差や組立公差を電池カバーとカバーとの二部材に抑えることができるので、電池カバーとカバーとの隙間を好適に保つことが可能になり、携帯端末の外観性が向上する。
【００１９】
さらに、本発明の携帯端末は、前記第３爪部（第１爪部）および前記第４爪部（第２爪部）にそれぞれ隣り合う複数のインロー部を有し、前記各インロー部が、前記第３爪部（第１爪部）および前記第４爪部（第２爪部）に対して前記段差部から遠い位置に設けられている。
【００２０】
ここで、各インロー部を段差部から遠い位置に設けることにより、第１爪部および第２爪部の係合を解除する際に各インロー部が抵抗にならない。
これにより、段差部を起点として電池カバーを引き起こす際に、第３爪部および第４爪部が支持されている各係止片を好適に撓ませて電池カバーを容易に外すことができる。
これに対して、各インロー部を段差部に近づけた場合、電池カバーを外す際に、各係止片が撓み難く、電池カバーが外れ難くなる。
【００２１】
また、本発明の携帯端末は、ケースおよびカバーを有する筐体と、前記ケースに設けられ、電池パックを収容する収容凹部と、前記電池パックを覆う平面部と、前記平面部に連結された枠状の側壁部とを有し、前記筐体の厚み方向に沿って前記筐体に対して着脱可能な電池カバーと、前記側壁部の外面における所定位置に設けられた段差部と、前記電池カバーにおける前記カバーに対向する内面に設けられ、前記筐体の厚み方向に対して交差する方向に係合することにより、前記筐体に前記電池カバーを固定するための固定部とを備え、前記固定部が、前記側壁部における前記段差部の裏側に設けられ、前記カバーの平面中央に向かって突出する第１爪と、前記側壁部における前記収容凹部を挟んで前記第１爪部と対向する位置の裏側に設けられ、前記カバーの平面中央に向かって突出する第２爪部と、前記収容凹部を中心として前記第１爪部および前記第２爪部に対して隣り合う位置に対応する前記平面部の裏側に設けられた係止片に支持され、前記カバーの平面中央とは反対側に向かって突出する第３爪部と、前記収容凹部を挟んで前記第３爪部と対向する位置に対応する前記平面部の裏側に設けられた係止片に支持され、前記カバーの平面中央とは反対側に向かって突出する第４爪部とを有する。
【００２２】
本発明の携帯端末は、筐体の平面形状が平面略長方形に限定しないで、例えば筐体の平面形状を楕円、長円等の他の形状に対応させることが可能である。
【００２３】
さらに、本発明の携帯端末によれば、取り外し時は、第２爪部を支点とし、かつ、段差部を起点として筐体に対して電池カバーを引き起こそうとすると、最初に第１爪部の係合が解除され、次いで電池カバーが幅方向に沿った中央部が隆起するように凸状に変形する。
中央部が隆起するように変形するために、係止片が傾斜して第３爪および第４爪部の係合が容易に解除される。
【００２４】
第３爪および第４爪部の係合が解除されることにより、第２爪部の係合を最後に解除して筐体から電池カバーが取り外される。
これにより、筐体に取り付けた電池カバーを意図的に外したい時に、筐体から容易に取り外すことができる。
【００２５】
一方、携帯端末に落下等の衝撃が加わった場合、中央部が凹むように電池カバーが変形する。中央部が凹むことにより、係止片が傾斜して第３爪および第４爪部が強く係合する。
また、電池パックが飛び出そうとする際にも中央部が隆起するように凸状に電池カバーが変形するため、係止片が傾斜して第１爪および第２爪が強く係合する。
このように、第１爪、第２爪、第３爪および第４爪部が強く係合することにより筐体から電池カバーが外れる可能性を低く抑えることができ、落下等の衝撃で筐体から電池カバーが外れ難くできる。
【００２６】
さらに、本発明の携帯端末においては、取り外し時、第１短辺壁部および第２短辺壁部のうちの一方を支点とし、他方を筐体に対して回動することにより、電池カバーが幅方向に沿った中央部が隆起するように凸状に変形する。
中央部が隆起するように変形するために、係止片が傾斜して第３爪および第４爪部の係合が容易に解除される。
【００２７】
第３爪および第４爪部の係合が解除されることにより、第２爪部の係合を最後に解除して筐体から電池カバーが取り外される。
これにより、筐体に取り付けた電池カバーを意図的に外したい時に、筐体から容易に取り外すことができる。
【００２８】
一方、携帯端末に落下等の衝撃が加わった場合、中央部が凹むように電池カバーが変形する。中央部が凹むことにより、係止片が傾斜して第３爪および第４爪部が強く係合する。
また、電池カバーが飛び出そうとする際にも中央部が隆起するように凸状に電池カバーが変形するため、係止片が傾斜して第１爪および第２爪が強く係合する。
このように、第１爪、第２爪、第３爪および第４爪部が強く係合することにより筐体から電池カバーが外れる可能性を低く抑えることができ、落下等の衝撃で筐体から電池カバーが外れ難くできる。
【００２９】
さらに、本発明の携帯端末は、筐体と、前記ケースに設けられ、電池パックを収容する収容凹部と、前記電池パックを覆う平面部と、前記平面部に連結された第１短辺壁部、第２短辺壁部、第１長辺壁部および第２長辺壁部による略長方形枠状の側壁部とを有するとともに、前記筐体の厚み方向に沿って前記筐体に対して着脱可能な電池カバーと、前記電池カバーにおける前記カバーに対向する内面に設けられ、前記筐体の厚み方向に対して交差する方向に係合することにより、前記筐体に前記電池カバーを固定するための固定部とを備え、前記電池カバーが、前記第１短辺壁部および前記第２短辺壁部のうちの一方を支点として他方が前記筐体に対して回動するように前記筐体に対して着脱可能とされ、前記固定部が、前記第１短辺壁部の裏側に設けられ、前記カバーの平面中央に向かって突出する第１爪部と、前記収容凹部を挟んで前記第２短辺壁部の裏側における前記第１爪部と対向する位置に設けられ、前記カバーの平面中央に向かって突出する第２爪部と、前記第１長辺壁部の内側に設けられた係止片に支持され、前記カバーの平面中央とは反対側に向かって突出する第３爪部と、前記収容凹部を挟んで前記第２長辺壁部の内側における前記第３爪部と対向する位置に設けられた係止片に支持され、前記カバーの平面中央とは反対側に向かって突出する第４爪部と、を有する。
【発明の効果】
【００３０】
本発明の携帯端末によれば、取り外し時は、電池カバーの中央部が隆起するように凸状に変形させることにより、係止片が傾斜して第３爪および第４爪部の係合を容易に解除できる。
これにより、筐体に取り付けた電池カバーを意図的に外したい時に、筐体から容易に取り外すことができる。
【００３１】
一方、携帯端末に落下等の衝撃が加わった場合、中央部が凹むように電池カバーが変形することにより、係止片が傾斜して第３爪および第４爪部が強く係合し、電池パックが飛び出そうとする際にも中央部が隆起するように凸状に電池カバーが変形するため、係止片が傾斜して第１爪および第２爪が強く係合する。
これにより、筐体から電池カバーが外れる可能性を低く抑え、落下等の衝撃で筐体から電池カバーが外れ難くできる。
【図面の簡単な説明】
【００３２】
【図１】本発明に係る携帯端末を内側面側から見た状態を示す斜視図
【図２】図１の携帯端末から電池カバーを外した状態を示す平面図
【図３】図１のＩ−Ｉ線断面図
【図４】図１のＩＩ−ＩＩ線断面図
【図５】図１のＩＩＩ−ＩＩＩ線断面図
【図６】図１の電池カバーを内側面側から見た状態を示す斜視図
【図７】図６のＩＶ部拡大図
【図８】本発明に係る電池カバーを筐体から外す例を説明する断面図
【図９】本発明に係る携帯端末が落下した例を説明する断面図
【図１０】本発明に係る変形例を示す斜視図
【図１１】図１０の携帯端末から電池カバーを外した状態を示す平面図
【発明を実施するための形態】
【００３３】
以下、本発明の実施形態に係る携帯端末について図面を参照して説明する。
【００３４】
図１に示すように、本発明の実施形態である携帯端末１０は、平面略矩形状に形成された筐体１１と、筐体１１のケース１２（図２参照）に設けられた収容凹部１５（図２参照）と、収容凹部１５を覆う電池カバー１６とを備えている。
【００３５】
図２に示すように、携帯端末１０は、電池カバー１６に設けられた段差部２１（図１も参照）と、電池カバー１６に設けられた固定部２２と、固定部２２を補強する補強リブ２４と、固定部２２に隣り合うインロー部２７とを備えている。
【００３６】
筐体１１は、平面略長方形に形成され、電池パック３２を収容可能な収容凹部１５を備えたケース１２と、ケース１２に組み合わされたカバー１３とを備えている。
【００３７】
カバー１３は、平面略長方形に形成され、第１カバー短辺３４、第２カバー短辺３５、第１カバー長辺３６および第２カバー長辺３７を有する。
図３に示すように、第１カバー短辺３４は、第１段部３４Ａが形成され、第１段部３４Ａの上方に第１係止部３４Ｂが設けられている。第１係止部３４Ｂはカバー１３の外側に向けて形成されている。
【００３８】
第２カバー短辺３５は、第２段部３５Ａが形成され、第２段部３５Ａの上方に第２係止部３５Ｂが設けられている。第２係止部３５Ｂはカバー１３の外側に向けて形成されている。
【００３９】
図４に示すように、第１カバー長辺３６は、第３段部３６Ａが形成され、第３段部３６Ａの上方に第３係止部３６Ｂが設けられている。第３係止部３６Ｂはカバー１３の内側に向けて形成されている。
さらに、図５に示すように、第１カバー長辺３６の近傍には、第１位置決め部３６Ｃが形成されている。
【００４０】
図４に示すように、第２カバー長辺３７は、第４段部３７Ａが形成され、第４段部３７Ａの上方に第４係止部３７Ｂが設けられている。第４係止部３７Ｂはカバー１３の内側に向けて形成されている。
さらに、図５に示すように、第２カバー長辺３７の近傍には、第２位置決め部３７Ｃが形成されている。
【００４１】
図２、図５に示すように、収容凹部１５は、ケース１２に設けられ、電池パック３２を収容可能に形成された凹部である。
収容凹部１５は、平面各辺、具体的には第１辺１５Ａ、第２辺１５Ｂ、第３辺１５Ｃ、第４辺１５Ｄで略矩形状に形成されている。
電池パック３２は、略矩形体状に形成され、端子面にプラス接触パッド、マイナス接触パッドおよび過充電検知用接触の接触パッドが設けられている。
【００４２】
図２に示すように、電池カバー１６は、筐体１１の厚み方向に沿って筐体１１に対して着脱可能に形成されている。
この電池カバー１６は、電池パック３２を覆う平面部１７と、平面部１７に連結された枠状の側壁部１８とを有する（図１参照）。
【００４３】
平面部１７は、第１短辺１７Ａ、第２短辺１７Ｂ、第１長辺１７Ｃおよび第２長辺１７Ｄでケース１２を覆うように平面略長方形に形成された平板状の部位である。
この平面部１７は、第２短辺１７Ｂの近傍にカメラ用のレンズ３９が設けられている。
【００４４】
平面部１７の内側面１７Ｅのうち、第１長辺１７Ｃの近傍から複数の第１係止片（係止片）４１がカバー１３に向けて突出されている。複数の第１係止片４１は第１長辺壁部４８の内側に設けられている（図４も参照）。
複数の第１係止片４１は、一例として、第１長辺１７Ｃの両端部および第１長辺１７Ｃの中央部の４箇所に設けられている。
【００４５】
また、平面部１７の内側面１７Ｅのうち、第２長辺１７Ｄの近傍から複数の第２係止片（係止片）４２がカバー１３に向けて突出されている。複数の第２係止片４２は第２長辺壁部４９の内側に設けられている（図４も参照）。
複数の第２係止片４２は、一例として、第２長辺１７Ｄの両端部および第１長辺１７Ｃの中央部の４箇所に設けられ、収容凹部１５を挟んで複数の第１係止片４１と対向するように配置されている。
【００４６】
側壁部１８は、第１短辺１７Ａに連結された第１短辺壁部４６と、第２短辺１７Ｂに連結された第２短辺壁部４７と、第１長辺１７Ｃに連結された第１長辺壁部４８と、第２長辺１７Ｄに連結された第２長辺壁部４９とを有する。
【００４７】
この側壁部１８は、第１短辺壁部４６、第２短辺壁部４７、第１長辺壁部４８および第２長辺壁部４９で略長方形枠状に形成されている。
電池カバー１６は、第２短辺壁部４７を支点として第１短辺壁部４６が筐体１１に対して矢印方向（図１参照）に回動するように筐体１１に対して着脱可能に設けられている。
【００４８】
図１に示すように、段差部２１は、第１短辺壁部４６の外面４６Ａにおける所定位置に設けられ、操作者が指等を係合し易いように凹状に形成されている（図３も参照）。
よって、段差部２１に指等を係合した状態で段差部２１を起点として筐体１１から電池カバー１６を引き剥がす方向（矢印方向）に引剥力をかけることが可能である。
【００４９】
図２に示すように、固定部２２は、電池カバー１６におけるカバー１３に対向する内面に設けられている。
この固定部２２は、筐体１１の厚み方向（矢印Ａ方向）に対して交差する方向（矢印Ｂ方向）に係合することにより、筐体１１に電池カバー１６を固定するものである。
【００５０】
具体的には、固定部２２は、カバー１３に係合可能な部位であり、第１爪部５１、第２爪部５２（図３も参照）、第３爪部５３および第４爪部５４（図４も参照）を有する。
【００５１】
第１爪部５１は、第１短辺壁部４６の裏側４６Ｂ（図３も参照）において、一例として、両端部および中央部の３箇所に設けられている。
第１爪部５１は、カバー１３の平面中央に向かって突出されている。
図３に示すように、第１爪部５１は、第１短辺壁部４６の開口端４６Ｃが第１カバー短辺３４の第１段部３４Ａに当接した状態で、第１カバー短辺３４の第１係止部３４Ｂに係止されている。
【００５２】
第２爪部５２は、第２短辺壁部４７の裏側４７Ａで、かつ第２短辺壁部４７の開口端４７Ｂにおいて両端部および中央部の３箇所（図２参照）に設けられている。
第２爪部５２は、収容凹部１５を挟んで第１爪部５１と対向する位置に設けられ、カバー１３の平面中央に向かって突出されている。
この第２爪部５２は、第２短辺壁部４７の開口端４７Ｂが第２カバー短辺３５の第２段部３５Ａに当接した状態で、第２カバー短辺３５の第２係止部３５Ｂに係止されている。
【００５３】
図４に示すように、第３爪部５３は、複数の第１係止片４１の先端部４１Ａに支持されることにより、第１長辺壁部４８の内側に設けられている。
第３爪部５３は、第１係止片４１の先端部４１Ａからカバー１３の平面中央とは反対側（すなわち、第１長辺壁部４８）に向けて突出されている。
この第３爪部５３は、第１長辺壁部４８の開口端４８Ａが第１カバー長辺３６の第３段部３６Ａに当接した状態で、第１カバー長辺３６の第３係止部３６Ｂに係止されている。
【００５４】
第４爪部５４は、複数の第２係止片４２の先端部４２Ａに支持されることにより、収容凹部１５を挟んで第３爪部５３と対向するように第２長辺壁部４９の内側に設けられている。
第４爪部５４は、第２係止片４２の先端部４２Ａからカバー１３の平面中央とは反対側（すなわち、第２長辺壁部４９）に向けて突出されている。
この第４爪部５４は、第２長辺壁部４９の開口端４９Ａが第２カバー長辺３７の第４段部３７Ａに当接した状態で、第２カバー長辺３７の第４係止部３７Ｂに係止されている。
【００５５】
このように、第３爪部５３が第３係止部３６Ｂに係止され、第４爪部５４が第４係止部３７Ｂに係止された状態において、携帯端末１０に落下等の衝撃が加わった場合、電池カバー１６（平面部１７）の中央部が凹むように矢印方向に変形する。
【００５６】
平面部１７の中央部が凹むことにより、第１係止片４１および第２係止片４２が矢印方向に内側に変形する。よって、第３爪部５３が第３係止部３６Ｂに強く係合し、かつ、第４爪部５４が第４係止部３７Ｂに強く係合する。
また、電池パック３２が飛び出そうとする際にも中央部が隆起するように凸状に電池カバー１６が変形するため、第１係止片４１および第２係止片４２が同様に傾斜し、
これにより第３爪部５３が第３係止部３６Ｂに強く係合し、かつ、第４爪部５４が第４係止部３７Ｂに強く係合する。
これにより、筐体１１から電池カバー１６が外れる可能性を低く抑えることができる。
【００５７】
ここで、図２に示す電池パック３２はある程度重いため、落下時に電池パック３２が収容凹部１５から飛び出し、電池カバー１６が外れることが考えられる。
そこで、複数の第１爪部５１の一つを、収容凹部１５の第１辺１５Ａの長手方向中央部に対応する位置に配置させた。
また、複数の第２爪部５２の一つを、収容凹部１５の第２辺１５Ｂの長手方向中央部に対応する位置に配置させた。
【００５８】
さらに、複数の第３爪部５３の一つを、収容凹部１５の第３辺１５Ｃの長手方向中央部に対応する位置に配置させた。
加えて、複数の第４爪部５４の一つを、収容凹部１５の第４辺１５Ｄの長手方向中央部に対応する位置に配置させた。
【００５９】
よって、収容凹部１５の第１辺１５Ａ、第２辺１５Ｂ、第３辺１５Ｃおよび第４辺１５Ｄに相当する部位に電池カバー１６を係止できる。
これにより、落下時に電池カバー１６を確実に固定して電池パック３２の飛び出しを防止できる。
【００６０】
ここで、電池カバー１６を筐体１１に取り付ける方法として、電池カバー１６を筐体１１のケース１２およびカバー１３の両部材に係止させることが考えられる。
しかし、電池カバー１６をケース１２およびカバー１３の両部材に係止させた場合、三部材１６，１２，１３の加工公差や組立公差が組立精度に影響して、電池カバー１６とカバー１３との隙間を好適に抑えることが難しい。
【００６１】
そこで、第１爪部５１、第２爪部５２、第３爪部５３および第４爪部５４をカバー１３のみに係合させることにした。
これにより、加工公差や組立公差を電池カバー１６とカバー１３との二部材に抑えることができるので、電池カバー１６とカバー１３との隙間を好適に保つことが可能になり、携帯端末１０の外観性が向上する。
【００６２】
図６に示すように、補強リブ２４は、第１係止片４１を補強する第１補強リブ２５と、第２係止片４２を補強する第２補強リブ２６とを備えている（図２も参照）。
【００６３】
図７に示すように、第１補強リブ２５は、電池カバー１６の内側面１６Ａと第１係止片４１の基端部４１Ｂとを連結するリブである（図４参照）。
この第１補強リブ２５は、第１係止片４１における幅方向両縁部４１Ｃ，４１Ｄのうち、段差部２１から遠い縁部側４１Ｄに設けられている。
【００６４】
図４に示すように、第２補強リブ２６は、電池カバー１６の内側面１６Ａと第２係止片４２の基端部４２Ｂとを連結するリブである。
図６に示すように、第２補強リブ２６は、第１補強リブ２５と同様に、第２係止片４２における幅方向両縁部４２Ｃ，４２Ｄのうち、段差部２１から遠い縁部側４２Ｄに設けられている。
【００６５】
インロー部２７は、第３爪部５３に隣り合うように設けられた第１インロー部２８と、第２爪部５２に隣り合うように設けられた第２インロー部２９（図５参照）とを備えている。
【００６６】
図７に示すように、第１インロー部２８は、第３爪部５３に隣り合うことで、第３爪部５３が撓んで外れる際に筐体１１が動かないようにすることで、第３爪部５３の係合が容易に外れないようにするために形成されている。
第１インロー部２８は、第３爪部５３に対して段差部２１から遠い位置に設けられている。
図５に示すように、第１インロー部２８は、第１カバー長辺３６の第１位置決め部３６Ｃに当接することにより位置決めされている。
【００６７】
図２に示すように、第２インロー部２９は、第１インロー部２８と同様に、第４爪部５４に隣り合うことで、第４爪部５４が撓んで外れる際に筐体１１が動かないようにすることで、第４爪部５４の係合が容易に外れないようにするために形成されている。
第２インロー部２９は、第４爪部５４に対して段差部２１から遠い位置に設けられている。
図５に示すように、第２インロー部２９は、第２カバー長辺３７の第２位置決め部３７Ｃに当接することにより位置決めされている。
【００６８】
次に、筐体１１から電池カバー１６から取り外す例を図８に基づいて説明する。
図８（Ａ）に示すように、段差部２１に指等を係合した状態で段差部２１を起点として筐体１１から電池カバー１６を引き剥がす方向に引剥力Ｆ１をかける。
段差部２１に引剥力Ｆ１をかけることにより第１爪部５１および第１係止部３４Ｂの係合が解除される。
【００６９】
図８（Ｂ）に示すように、第１爪部５１および第１係止部３４Ｂの係合が解除されることにより、段差部２１が矢印Ｃ方向に上昇する。
【００７０】
図８（Ｃ）に示すように、段差部２１（図８（Ｂ）参照）が上昇することにより、電池カバー１６の平面部１７（具体的には、平面部１７のうち幅方向に沿った中央部）が想像線で示すように矢印Ｄ方向に突状に隆起する。
平面部１７が突状に隆起することにより、第１係止片４１および第２係止片４２が想像線で示すように矢印Ｅ方向に内側に変形する。
【００７１】
第１係止片４１が矢印Ｅ方向に変形することにより、第３爪部５３および第３係止部３６Ｂの係合が容易に解除される。
同様に、第２係止片４２が矢印Ｅ方向に変形することにより、第４爪部５４および第４係止部３７Ｂの係合が容易に解除される。
【００７２】
第３爪部５３および第３係止部３６Ｂの係合が解除され、第４爪部５４および第４係止部３７Ｂの係合が解除されることにより、図８（Ｂ）に示すように、段差部２１が第２爪部５２を支点にして矢印Ｃ方向に上昇する。
【００７３】
段差部２１が矢印Ｃ方向に上昇することにより、第２爪部５２が第２係止部３５Ｂが解除されて筐体１１から電池カバー１６が取り外される。
これにより、筐体１１に取り付けた電池カバー１６を意図的に外したい時に、筐体１１から容易に取り外すことができる。
【００７４】
ここで、図６に示すように、第１係止片４１において第１補強リブ２５を段差部２１から遠い縁部側４１Ｄに設けた。加えて、第２係止片４２において第２補強リブ２６を段差部２１から遠い縁部側４２Ｄに設けた。
【００７５】
よって、段差部２１を引き剥がす方向に引き上げる際に、第１係止片４１および第２係止片４２を撓み易くできる。
これにより、段差部２１を起点として電池カバー１６を引き起こす際に、第１係止片４１および第２係止片４２を好適に撓ませて電池カバー１６を容易に外すことができる。
【００７６】
これに対して、第１補強リブ２５および第２補強リブ２６を段差部２１に近づけた場合、電池カバー１６を外す際に、第１係止片４１および第２係止片４２が撓み難くなり、電池カバー１６が外れ難くなる。
【００７７】
さらに、図２に示すように、第１位置決め部３６Ｃに当接する第１インロー部２８を第３爪部５３に対して段差部２１から遠い位置に設けた。
加えて、第２位置決め部３７Ｃに当接する第２インロー部２９を第４爪部５４に対して段差部２１から遠い位置に設けた。
よって、段差部２１を起点として電池カバー１６を引き起こす際に、第１係止片４１および第２係止片４２を好適に撓ませて電池カバー１６を容易に外すことができる。
【００７８】
これに対して、第１インロー部２８および第２インロー部２９を段差部２１に近づけた場合、電池カバー１６を外す際に、第１係止片４１および第２係止片４２が撓み難くなり、電池カバー１６が外れ難くなる。
【００７９】
次いで、携帯端末１０の落下等で携帯端末１０に衝撃が加わった場合を図９に基づいて説明する。
図９に示すように、携帯端末１０に落下等の衝撃Ｆ２が加わった場合、電池カバー１６の平面部１７（具体的には、平面部１７のうち幅方向に沿った中央部）が凹むように矢印Ｆ方向に変形する。
平面部１７の中央部が凹むことにより、第１係止片４１および第２係止片４２が矢印Ｇ方向に内側に変形する。
【００８０】
第１係止片４１が矢印Ｇ方向に変形することにより、第３爪部５３が第３係止部３６Ｂに強く係合する。
同時に、第２係止片４２が矢印Ｇ方向に変形することにより、第４爪部５４が第４係止部３７Ｂに強く係合する。
これにより、筐体１１から電池カバー１６が外れる可能性を低く抑えることができるので、落下等の衝撃で筐体１１から電池カバー１６を外れ難くできる。
特に、筐体１１から電池パック３２が飛び出す方向に対して電池カバー１６が外れ難くしている。
【００８１】
（変形例）
実施形態の変形例を図１０、図１１に基づいて説明する。
なお、変形例において実施形態の携帯端末１０と同一部材、類似部材については同じ符号を付して説明を省略する。
【００８２】
図１０に示す変形例の携帯端末７０は、実施形態の筐体１１および電池カバー１６を筐体７１および電池カバー７８に代えたもので、その他の構成は実施形態の携帯端末１０と同じである。
【００８３】
筐体７１は、実施形態に示す筐体１１の形状を平面略楕円状に形成したもので、その他の構成や形状は実施形態の筐体１１と同じである。
筐体７１に備えたカバー７３の表面７３Ａには、表示部７４、操作部７５、通話用の送信部７６および受信部７７が設けられている。
【００８４】
さらに、図１１に示すように、筐体７１のカバー７３には、実施形態のカバー１３と同様に、複数の第１係止部３４Ｂ、複数の第２係止部３５Ｂ、複数の第３係止部３６Ｂおよび複数の第４係止部３７Ｂが設けられている。
【００８５】
複数の第１係止部３４Ｂは、実施形態と同様に直線状に配列されている。また、複数の第２係止部３５Ｂは、実施形態と同様に直線状に配列されている。
さらに、複数の第３係止部３６Ｂは、実施形態と同様に直線状に配列されている。加えて、複数の第４係止部３７Ｂは、実施形態と同様に直線状に配列されている。
【００８６】
電池カバー７８は、実施形態に示す電池カバー１６の形状を、筐体７１に対応させて平面略楕円状に形成したもので、その他の形状は実施形態の電池カバー１６と同じである。
電池カバー７８には、実施形態の電池カバー１６と同様に、複数の第１爪部５１、複数の第２爪部５２、複数の第３爪部５３および複数の第４爪部５４を有する。
【００８７】
複数の第１爪部５１は、実施形態と同様に直線状に配列されている。また、複数の第２爪部５２は、実施形態と同様に直線状に配列されている。
さらに、複数の第３爪部５３は、実施形態と同様に直線状に配列されている。加えて、複数の第４爪部５４は、実施形態と同様に直線状に配列されている。
【００８８】
変形例の携帯端末７０によれば、各係止部３４Ｂ，３５Ｂ，３６Ｂ，３７Ｂをそれぞれ直線状に配列し、かつ各爪部５１，５２，５３，５４をそれぞれ直線状に配列することにより、実施形態の携帯端末１０と同様の効果が得られる。
【００８９】
なお、本発明に係る携帯端末は、前述した実施形態に限定されるものではなく適宜変更、改良等が可能である。
例えば、実施形態では、段差部２１を凹部に形成した例について説明したが、これに限らないで、段差部２１を凸部等の他の形状に形成することも可能である。
【００９０】
また、実施形態では、電池カバー１６に段差部２１を設け、段差部２１を利用して電池カバー１６を筐体１１から引き剥がす例について説明したが、これに限らないで、段差部２１を設けない構成とすることも可能である。
【００９１】
さらに、実施形態では、第２短辺壁部４７を支点として電池カバー１６を回動させて着脱可能に設けた例について説明したが、これに限らないで、第１短辺壁部４６を支点として回動させて着脱可能に設けることも可能である。
【００９２】
また、実施形態では、筐体１１を平面略矩形状に形成した例について説明し、変形例では筐体７１を平面略楕円状に形成した例について説明したが、これに限らないで、筐体を長円等の他の形状に形成することも可能である。
この場合も、実施形態や変形例と同様に、各係止部３４Ｂ，３５Ｂ，３６Ｂ，３７Ｂがそれぞれ直線状に配列され、かつ各爪部５１，５２，５３，５４がそれぞれ直線状に配列される。
【００９３】
さらに、実施形態で使用した携帯端末、筐体、ケース、カバー、収容凹部、電池カバー、固定部、補強リブ、インロー部、電池パック、第１係止片、第２係止片、第１爪部、第２爪部、第３爪部および第４爪部等の形状や構成は例示したものに限定するものではなく適宜変更が可能である。
【産業上の利用可能性】
【００９４】
本発明は、筐体の収容凹部に電池パックが収容され、収容された電池パックを覆うために電池カバーが筐体に着脱自在に取り付けられた携帯端末への適用に好適である。
【符号の説明】
【００９５】
１０，７０  携帯端末
１１，７１  筐体
１２  ケース
１３，７３  カバー
１５  収容凹部
１５Ａ  収容凹部の第１辺
１５Ｂ  収容凹部の第２辺
１５Ｃ  収容凹部の第３辺
１５Ｄ  収容凹部の第４辺
１６，７８  電池カバー
１６Ａ  電池カバーの内側面
１７  平面部
１７Ａ  第１短辺
１７Ｂ  第２短辺
１７Ｃ  第１長辺
１７Ｄ  第２長辺
１８  側壁部
２２  固定部
２４  補強リブ
２５  第１補強リブ
２６  第２補強リブ
２７  インロー部
２８  第１インロー部
２９  第２インロー部
３２  電池パック
４１  第１係止片（係止片）
４１Ｂ  第１係止片の基端部
４１Ｃ，４１Ｄ  第１係止片の幅方向両縁部
４２  第２係止片（係止片）
４２Ｂ  第２係止片の基端部
４２Ｃ，４２Ｄ  第２係止片の幅方向両縁部
４６  第１短辺壁部
４６Ａ  第１短辺壁部の外面
４６Ｂ  第１短辺壁部の裏側
４７  第２短辺壁部
４７Ａ  第２短辺壁部の裏側
４８  第１長辺壁部
４９  第２長辺壁部
５１  第１爪部
５２  第２爪部
５３  第３爪部
５４  第４爪部
【図１】
2013093127.tif 000003
【図２】
2013093127.tif 000004
【図３】
2013093127.tif 000005
【図４】
2013093127.tif 000006
【図５】
2013093127.tif 000007
【図６】
2013093127.tif 000008
【図７】
2013093127.tif 000009
【図８】
2013093127.tif 000010
【図９】
2013093127.tif 000011
【図１０】
2013093127.tif 000012
【図１１】
2013093127.tif 000013